(57)【特許請求の範囲】
【請求項１】
映像表示装置に配信される放送映像と同期して配信される映像同期情報を、携帯電話網を介して映像同期情報提供装置から個人単位で前記映像表示装置の映像と同時に視聴可能な情報通信機器に提供する映像同期情報提供システムであって、
前記映像表示装置は、表示する映像に予め関連付けた映像同期情報識別子及び利用者識別子を含む「視聴映像情報」を前記情報通信機器に通知する映像表示装置状態提供部を備え、
前記情報通信機器は、
前記映像同期情報提供装置に対して、当該映像に関する都道府県識別子、放送局識別子、及び映像識別子と、利用者個人を識別するための利用者識別子を含む映像同期情報識別子要求情報を送信して、映像同期情報識別子の送信開始を指示する映像同期情報識別子要求部と、
前記映像同期情報提供装置から、当該映像に関する「放送開始日時」及び「送出タイミング」にしたがって送信された所定の送信情報を受信して、当該利用者によって指定される当該映像に関する放送局識別子及び映像識別子を「要求情報」として前記映像同期情報提供装置に送信する映像同期情報取得部と、
前記映像同期情報提供装置から、前記要求情報に係る映像に関する映像同期情報を、前記「放送開始日時」及び「送出タイミング」に同期して受信して表示する映像同期情報表示部と、
前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には当該情報通信機器に対してメッセージを表示するか、又は映像との情報同期を中止させる手段とを備え、
前記映像同期情報提供装置は、
前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信する映像同期情報識別子送信部と、
前記情報通信機器から、前記要求情報を受信して、前記要求情報に係る映像に関する映像同期情報を、前記「放送開始日時」及び「送出タイミング」に同期して送信する映像同期情報提供部とを備えることを特徴とする映像同期情報提供システム。
【請求項２】
前記映像同期情報提供装置は、前記情報通信機器から受け取った映像同期情報識別子要求情報に利用者識別子を含んでいない場合には、携帯電話網を通じて当該情報通信機器の携帯電話番号を取得する手段を有することを特徴とする、請求項１に記載の映像同期情報提供システム。
【請求項３】
前記映像同期情報提供装置は、前記情報通信機器から受け取った映像同期情報識別子要求情報に利用者識別子を含んでいる場合には、該受信した利用者識別子が当該映像同期情報提供システムにおけるサービスの利用者のものであるか否かを確認するために、利用者識別子について予め登録した利用者情報ＤＢを備えることを特徴とする、請求項１に記載の映像同期情報提供システム。
【請求項４】
前記情報通信機器は、前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には前記映像表示装置から前記「視聴映像情報」に含まれている「放送局識別子」及び「映像識別子」を再取得し、該「放送局識別子」及び「映像識別子」について前記「送信情報」に含まれる「映像同期情報識別子」を抽出し、該「映像同期情報識別子」に対応する「放送局識別子」及び「映像識別子」を含む「要求情報」を前記映像同期情報提供装置に送信して、該当する映像同期情報を再取得する手段を有することを特徴とする、請求項１に記載の映像同期情報提供システム。
【請求項５】
前記情報通信機器は、前記映像表示装置から、当該映像に予め関連付けられた映像同期情報識別子を含む「視聴映像情報」を取得し、前記「視聴映像情報」に含まれている「放送局識別子」及び「映像識別子」から、前記「要求情報」を生成して前記映像同期情報提供装置に送信し、該当する映像同期情報を取得する手段を有することを特徴とする、請求項１に記載の映像同期情報提供システム。
【請求項６】
前記映像同期情報が、当該利用者の回答を要求する情報からなり、
前記情報通信機器は、当該利用者の指示に応じて、表示された該情報に対する、利用者識別子を含む回答情報を生成し、前記映像同期情報提供装置に送信する手段を有し、
前記映像同期情報提供装置は、該回答情報を受信して、該回答情報を受け取った時間と、前記映像同期情報識別子送信情報の「放送開始日時」及び「送出タイミング」の情報を比較するとともに、前記送信情報に含まれる利用者識別子と、前記回答情報に含まれる利用者識別子とを比較して、正規の回答であるか否かを判別する手段を有することを特徴とする、請求項１に記載の映像同期情報提供システム。
【請求項７】
前記映像表示装置に対して蓄積された映像コンテンツの映像を送出する映像蓄積装置をさらに備え、
前記情報通信機器は、前記映像蓄積装置に対して、蓄積された映像コンテンツの再生の「開始」、「停止」及び「終了」を含む制御情報の指示を送出する映像再生制御部と、
前記映像同期情報識別子送信情報と前記制御情報を前記映像同期情報提供装置に送信して、前記制御情報に応じたタイミングで前記映像同期情報を取得する手段を有することを特徴とする、請求項１に記載の映像同期情報提供システム。
【請求項８】
請求項１〜７のいずれか一項に記載の映像同期情報提供システムにおける映像同期情報提供装置であって、
前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信する映像同期情報識別子送信部と、
前記情報通信機器から、前記要求情報を受信して、前記要求情報に係る映像に関する映像同期情報を、前記「放送開始日時」及び「送出タイミング」に同期して送信する映像同期情報提供部とを備えることを特徴とする映像同期情報提供装置。
【請求項９】
映像表示装置に配信される放送映像と同期して配信される映像同期情報を、携帯電話網を介して映像同期情報提供装置から個人単位で前記映像表示装置の映像と同時に視聴可能な情報通信機器に提供する映像同期情報提供方法であって、
前記映像表示装置によって、表示する映像に予め関連付けた映像同期情報識別子及び利用者識別子を含む「視聴映像情報」を前記情報通信機器に通知するステップと、
前記情報通信機器によって、前記映像同期情報提供装置に対して、当該映像に関する都道府県識別子、放送局識別子、及び映像識別子と、利用者個人を識別するための利用者識別子を含む映像同期情報識別子要求情報を送信して、映像同期情報識別子の送信開始を指示するステップと、
前記映像同期情報提供装置によって、前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信するステップと、
前記情報通信機器によって、前記映像同期情報提供装置から、当該映像に関する「放送開始日時」及び「送出タイミング」にしたがって送信された前記送信情報を受信して、当該利用者によって指定される当該映像に関する放送局識別子及び映像識別子を「要求情報」として前記映像同期情報提供装置に送信するステップと、
前記映像同期情報提供装置によって、前記情報通信機器から、前記要求情報を受信して、前記要求情報に係る映像に関する映像同期情報を、前記「放送開始日時」及び「送出タイミング」に同期して送信するステップと、
前記情報通信機器によって、前記要求情報に係る映像に関する映像同期情報を、前記「放送開始日時」及び「送出タイミング」に同期して受信して表示するステップと、
前記情報通信機器によって、前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には当該情報通信機器に対してメッセージを表示するか、又は映像との情報同期を中止させるステップと、
を含むことを特徴とする、映像同期情報提供方法。
【発明の詳細な説明】
【技術分野】
【０００１】
本発明は、家庭内で映像を表示装置で視聴しつつ、映像の進行と同期を取りながら視聴している映像に連動した情報を携帯電話に提供する技術に関し、この技術を応用することによって、配信される映像内で実施される投票やアンケート調査などの映像同期情報を個人単位で提供する映像同期情報提供システム、映像同期情報提供装置及び映像同期情報提供方法に関する。
【背景技術】
【０００２】
家庭内で映像をテレビ受像機で視聴しつつ、映像の進行と同期を取りながら視聴している映像に連動した情報を携帯電話に提供する技術として、双方向通信を利用したテレビ受像機から、リモコン操作を主体とした簡易な操作によって、リモコン操作の情報をテレビ映像に連動させる在宅投票システムは既に存在する。
【０００３】
例えば、従来技術の在宅投票システムでは、テレビ映像とともに提供したい情報をテレビ受像機に表示したり、電子投票やアンケート取得に利用した場合、テレビのリモコンで回答したりすることが可能である（例えば、特許文献１、非特許文献１，２参照）。
【先行技術文献】
【特許文献】
【０００４】
【特許文献１】特許公開２００２−９２２４０号公報
【非特許文献】
【０００５】
【非特許文献１】“デジタル放送におけるデータ放送符号化方式と伝送方式”，ＡＲＩＢ  ＳＴＤ−Ｂ２４  ５．２版  第二分冊、社団法人電波産業会
【非特許文献２】“デジタル放送用受信装置（望ましい仕様）”、ＡＲＩＢ  ＳＴＤ−Ｂ２１、社団法人電波産業会
【発明の概要】
【発明が解決しようとする課題】
【０００６】
従来の地上デジタルテレビジョン方式では、テレビ映像とともに提供したい情報をテレビ受像機に表示していたため、映像を視聴するエリアが小さくなっていた。またそれと同時に提供できる情報量に制限があった。
【０００７】
また従来の技術を電子投票やアンケート取得に利用した場合、テレビのリモコンで同答するため、家庭内の視聴者の判別はできなかった。しかしながら、家庭には複数の視聴者が存在する場合が多く、世帯ではなく、個人を識別した電子投票システムに対する要望があった。
【０００８】
そこで、本発明の目的は、上述の問題に鑑みて、配信される映像内で実施される投票やアンケート調査などの映像同期情報を個人単位で提供する映像同期情報提供システム、映像同期情報提供装置及び映像同期情報提供方法を提供することにある。
【課題を解決するための手段】
【０００９】
本発明の映像同期情報提供システムは、
映像表示装置に配信される放送映像と同期して配信される映像同期情報を、携帯電話網を介して映像同期情報提供装置から個人単位で前記映像表示装置の映像と同時に視聴可能な情報通信機器に提供する映像同期情報提供システムであって、
前記映像表示装置は、表示する映像に予め関連付けた映像同期情報識別子及び利用者識別子を含む「視聴映像情報」を前記情報通信機器に通知する映像表示装置状態提供部を備え、
前記情報通信機器は、
前記映像同期情報提供装置に対して、当該映像に関する都道府県識別子、放送局識別子、及び映像識別子と、利用者個人を識別するための利用者識別子を含む映像同期情報識別子要求情報を送信して、映像同期情報識別子の送信開始を指示する映像同期情報識別子要求部と、
前記映像同期情報提供装置から、当該映像に関する「放送開始日時」及び「送出タイミング」にしたがって送信された所定の送信情報を受信して、当該利用者によって指定される当該映像に関する放送局識別子及び映像識別子を「要求情報」として前記映像同期情報提供装置に送信する映像同期情報取得部と、
前記映像同期情報提供装置から、前記要求情報に係る映像に関する映像同期情報を、前記「放送開始日時」及び「送出タイミング」に同期して受信して表示する映像同期情報表示部と、
前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には当該情報通信機器に対してメッセージを表示するか、又は映像との情報同期を中止させる手段とを備え、
前記映像同期情報提供装置は、
前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信する映像同期情報識別子送信部と、
前記情報通信機器から、前記要求情報を受信して、前記要求情報に係る映像に関する映像同期情報を、前記「放送開始日時」及び「送出タイミング」に同期して送信する映像同期情報提供部とを備えることを特徴とする。
【００１０】
また、本発明の映像同期情報提供システムにおいて、前記映像同期情報提供装置は、前記情報通信機器から受け取った映像同期情報識別子要求情報に利用者識別子を含んでいない場合には、携帯電話網を通じて当該情報通信機器の携帯電話番号を取得する手段を有することを特徴とする。
【００１１】
また、本発明の映像同期情報提供システムにおいて、前記映像同期情報提供装置は、前記情報通信機器から受け取った映像同期情報識別子要求情報に利用者識別子を含んでいる場合には、該受信した利用者識別子が当該映像同期情報提供システムにおけるサービスの利用者のものであるか否かを確認するために、利用者識別子について予め登録した利用者情報ＤＢを備えることを特徴とする。
【００１２】
また、本発明の映像同期情報提供システムにおいて、前記情報通信機器は、前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には前記映像表示装置から前記「視聴映像情報」に含まれている「放送局識別子」及び「映像識別子」を再取得し、該「放送局識別子」及び「映像識別子」について前記「送信情報」に含まれる「映像同期情報識別子」を抽出し、該「映像同期情報識別子」に対応する「放送局識別子」及び「映像識別子」を含む「要求情報」を前記映像同期情報提供装置に送信して、該当する映像同期情報を再取得する手段を有することを特徴とする。
【００１３】
また、本発明の映像同期情報提供システムにおいて、前記情報通信機器は、前記映像表示装置から、当該映像に予め関連付けられた映像同期情報識別子を含む「視聴映像情報」を取得し、前記「視聴映像情報」に含まれている「放送局識別子」及び「映像識別子」から、前記「要求情報」を生成して前記映像同期情報提供装置に送信し、該当する映像同期情報を取得する手段を有することを特徴とする。
【００１４】
また、本発明の映像同期情報提供システムにおいて、前記映像同期情報が、当該利用者の回答を要求する情報からなり、前記情報通信機器は、当該利用者の指示に応じて、表示された該情報に対する、利用者識別子を含む回答情報を生成し、前記映像同期情報提供装置に送信する手段を有し、前記映像同期情報提供装置は、該回答情報を受信して、該回答情報を受け取った時間と、前記映像同期情報識別子送信情報の「放送開始日時」及び「送出タイミング」の情報を比較するとともに、前記送信情報に含まれる利用者識別子と、前記回答情報に含まれる利用者識別子とを比較して、正規の回答であるか否かを判別する手段を有することを特徴とする。
【００１５】
また、本発明の映像同期情報提供システムにおいて、前記映像表示装置に対して蓄積された映像コンテンツの映像を送出する映像蓄積装置をさらに備え、前記情報通信機器は、前記映像蓄積装置に対して、蓄積された映像コンテンツの再生の「開始」、「停止」及び「終了」を含む制御情報の指示を送出する映像再生制御部と、前記映像同期情報識別子送信情報と前記制御情報を前記映像同期情報提供装置に送信して、前記制御情報に応じたタイミングで前記映像同期情報を取得する手段を有することを特徴とする。
【００１６】
また、本発明の映像同期情報提供システムにおける映像同期情報提供装置は、前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信する映像同期情報識別子送信部と、前記情報通信機器から、前記要求情報を受信して、前記要求情報に係る映像に関する映像同期情報を、前記「放送開始日時」及び「送出タイミング」に同期して送信する映像同期情報提供部とを備えることを特徴とする。
【００１７】
また、本発明の映像同期情報提供方法は、映像表示装置に配信される放送映像と同期して配信される映像同期情報を、携帯電話網を介して映像同期情報提供装置から個人単位で前記映像表示装置の映像と同時に視聴可能な情報通信機器に提供する映像同期情報提供方法であって、
前記映像表示装置によって、表示する映像に予め関連付けた映像同期情報識別子及び利用者識別子を含む「視聴映像情報」を前記情報通信機器に通知するステップと、
前記情報通信機器によって、前記映像同期情報提供装置に対して、当該映像に関する都道府県識別子、放送局識別子、及び映像識別子と、利用者個人を識別するための利用者識別子を含む映像同期情報識別子要求情報を送信して、映像同期情報識別子の送信開始を指示するステップと、
前記映像同期情報提供装置によって、前記情報通信機器から、前記映像同期情報識別子要求情報を受け取り、前記利用者識別子に対応する情報通信機器に対して、前記都道府県識別子、放送局識別子、及び映像識別子に対応する当該映像に関する「放送開始日時」及び「送出タイミング」と対応する映像同期情報の映像同期情報識別子とを通知するための所定の送信情報を返信するステップと、
前記情報通信機器によって、前記映像同期情報提供装置から、当該映像に関する「放送開始日時」及び「送出タイミング」にしたがって送信された前記送信情報を受信して、当該利用者によって指定される当該映像に関する放送局識別子及び映像識別子を「要求情報」として前記映像同期情報提供装置に送信するステップと、
前記映像同期情報提供装置によって、前記情報通信機器から、前記要求情報を受信して、前記要求情報に係る映像に関する映像同期情報を、前記「放送開始日時」及び「送出タイミング」に同期して送信するステップと、
前記情報通信機器によって、前記要求情報に係る映像に関する映像同期情報を、前記「放送開始日時」及び「送出タイミング」に同期して受信して表示するステップと、
前記情報通信機器によって、前記映像表示装置から、当該映像に予め関連付けられた映像同期情報識別子を含む「視聴映像情報」を取得し、該「視聴映像情報」から得られる映像同期情報識別子と、前記映像同期情報提供装置から取得した送信情報から抽出した映像同期情報識別子とを比較して、前記映像表示装置における映像の表示と前記映像同期情報とが同期しているか否かを判別し、同期していない場合には当該情報通信機器に対してメッセージを表示するか、又は映像との情報同期を中止させるステップと、
を含むことを特徴とする。
【発明の効果】
【００１８】
本発明によれば、従来不可能であった、家庭内の個人を識別した電子投票システムが可能になり、例えばテレビ映像を使ったアンケート調査で、回答した個人の属性（性別、年齢など）を使用した詳しい分析をすることが可能になる。
【００１９】
またクイズ映像などでも、世帯としての参加ではなく、個人としての参加が可能になる。
【００２０】
また、本発明によれば、専用の端末を使用せず、既に個人が所有している携帯電話等の携帯端末を利用することで、この映像同期情報提供システムを応用したテレビ映像の普及に対する制約を除去又はその条件を緩和することができる。
【００２１】
また、本発明によれば、携帯端末の画面と、それとは別の画面（例えばテレビ受像機）に表示される映像を自動連動させ、映像コンテンツと同期した情報を提供することができる。
【００２２】
また、本発明によれば、映像コンテンツと同期しながら提供される情報サイズに対する制約を除去又はその条件を緩和することができる。
【００２３】
また、本発明によれば、携帯電話等の携帯端末を利用することで、家庭内の個人を識別することが可能になる。
【００２４】
また、本発明によれば、映像コンテンツをリアルタイムで視聴する場合にも、録画された映像コンテンツを視聴する場合にも対応することができる。
【図面の簡単な説明】
【００２５】
【図１】本発明による実施例１の映像同期情報提供システムのブロック図である。
【図２】本発明による実施例２の映像同期情報提供システムのブロック図である。
【図３】本発明による実施例３の映像同期情報提供システムのブロック図である。
【図４】本発明による実施例４の映像同期情報提供システムのブロック図である。
【図５】本発明による実施例５の映像同期情報提供システムのブロック図である。
【図６】本発明による実施例６の映像同期情報提供システムのブロック図である。
【発明を実施するための形態】
【００２６】
以下、本発明による各実施例の映像同期情報提供システムを説明する。本発明に係る映像同期情報提供装置及び映像同期情報提供方法は、本実施例の映像同期情報提供システムの説明から明らかになる。
【００２７】
〔実施例１〕
図１は、本発明による実施例１の映像同期情報提供システムを示す図である。本実施例の映像同期情報提供システムは、映像表示装置３０に配信される映像内で実施される投票やアンケート調査などの映像同期情報を映像同期情報提供装置１０から個人単位で携帯電話２０に提供するシステムであり、映像同期情報提供装置１０と、携帯電話２０と、映像表示装置３０とを備える。映像同期情報提供装置１０と携帯電話２０は、携帯電話網を通じて双方向通信が可能であり、携帯電話２０と映像表示装置３０は、例えば携帯電話２０のリモコン機能のように、家庭内ネットワークで双方向通信が可能である。尚、例示的に携帯電話２０を用いる例を説明するが、携帯電話２０は、映像表示装置３０と共に視聴する家庭内の情報通信機器であれば任意の機器とすることができ、好適には、映像表示装置３０に対して双方向通信可能なリモコン機能を有する既知の携帯端末とすることができる。
【００２８】
映像同期情報提供装置１０は、映像同期情報識別子送信情データベース（ＤＢ）１０１と、映像同期情報識別子送信部１０２と、映像同期情報提供部１０３とを備える。
【００２９】
携帯電話２０は、映像同期情報識別子要求部２０１と、映像同期情報取得部２０２と、映像同期情報表示部２０３と、映像表示装置状態取得部２０４とを備える。
【００３０】
映像表示装置３０は、映像表示装置状態提供部３０１を備える。
【００３１】
本実施例の映像同期情報提供システムにおける動作について説明する。
【００３２】
まず、携帯電話２０に具備される映像同期情報識別子要求部２０１は、映像同期情報提供装置１０に対して、当該映像同期情報に関する各種識別子からなる映像同期情報識別子の送信開始を指示する。このときに映像同期情報提供装置１０に送る情報は、図示しない記憶部に「映像同期情報識別子要求情報」（表１）として管理する。
【００３３】
【表１】
0005557605.tif 000002
【００３４】
映像同期情報提供装置１０における映像同期情報識別子送信情報ＤＢ１０１は、映像コンテンツと同期をとって提供する情報を識別するための情報を映像同期情報識別子で管理して蓄積したデータベースである。必要な情報として、「映像同期情報識別子送信情報」（表２）として管理する。
【００３５】
【表２】
0005557605.tif 000003
【００３６】
映像同期情報提供装置１０における映像同期情報識別子送信部１０２は、携帯電話網から別途取得した携帯電話番号宛に、映像同期情報識別子送信情報ＤＢ１０１に蓄積された「放送開始日時」や「送出タイミング」にしたがって、表３に示す「送信情報」を携帯電話２０に送信する。
【００３７】
【表３】
0005557605.tif 000004
【００３８】
携帯電話２０に具備される映像同期情報取得部２０２は、映像同期情報提供装置１０から受け取った「送信情報」（表３）の中に記載された情報をもとに、「要求情報」（表４）を作成し、映像同期情報提供装置１０に具備される映像同期情報提供部１０３に送る。映像同期情報取得部２０２は、必要に応じて「送信情報」（表３）の「映像同期情報識別子」に加工を施すことや、「利用者識別子」を送らないように規定することもできる。
【００３９】
【表４】
0005557605.tif 000005
【００４０】
映像同期情報提供装置１０に具備される映像同期情報提供部１０３は、携帯電話２０に具備される映像関連情報取得部２０２によって送られてくる「要求情報」（表４）に従って、当該映像に関する適切な情報（映像同期情報）を「放送開始日時」及び「送出タイミング」に同期して携帯電話２０に提供する。映像同期情報提供部１０３は、必要に応じて「要求情報」（表４）を受け取った時間と、「映像同期情報識別子送信情報」（表２）の「放送開始日時」や「送出タイミング」を比較して、情報提供を中止することもできる。
【００４１】
携帯電話２０に具備される映像同期情報表示部２０３は、映像同期情報提供装置１０に具備される映像同期情報提供部１０３から送られてくる情報を携帯電話２０の画面に表示する機能部である。また、映像同期情報表示部２０３は、後述する携帯電話２０に具備される映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、必要に応じて利用者に適切なメッセージを表示するとともに、映像との情報同期を中止することもできる。
【００４２】
【表５】
0005557605.tif 000006
【００４３】
携帯電話２０に具備される映像表示装置状態取得部２０４は、携帯電話２０に具備された映像同期情報表示部２０３の要求に応じて、映像表示装置３０の現在の状態を問い合わせる機能部である。
【００４４】
映像表示装置３０に具備される映像表示装置状態提供部３０１は、前述の映像表示装置状態取得部２０４の間い合わせに応じるか、映像表示装置３０の状態変化を自ら感知したときに、映像表示装置状態取得部２０４に映像表示装置３０の現在の状態を示す「視聴映像情報」（表５）を通知する機能部であり、表示する映像に予め関連付けた映像同期情報識別子及び利用者識別子を含む「視聴映像情報」を前記情報通信機器に通知する機能を有する。
【００４５】
以下、本発明による実施例１の映像同期情報提供システムの動作について具体的に説明する。
【００４６】
実施例１では映像表示装置３０は、映像コンテンツをリアルタイムに表示する態様である。映像表示装置３０は、放送網を通じてテレビ映像を受信し表示するのが典型的な例である。また実施例１では、実際に視聴しているチャンネルを映像同期情報提供装置１０に知らせることなく、かつ事前に映像同期情報提供装置１０に利用者登録をしていない場合の実施例である。ただし映像表示装置３０と携帯電話２０の画面を、利用者が同時に見ることができる位置にいることが前提となっている。
【００４７】
まず、利用者は、実施例１においては携帯電話２０を操作して、映像同期情報識別子要求部２０１によって、「映像同期情報識別子要求情報」（表１）を映像同期情報提供装置１０に送信する。実施例１では、映像同期情報提供装置１０が携帯電話番号を携帯電話網から直接取得するので、「映像同期情報識別子要求情報」（表１）の項目の中で実際に送っているのは「都道府県識別子」のみである。尚、「都道府県識別子」の選択については利用者が手動で選択して実施する。また携帯電話網の中で映像同期情報提供装置１０を識別するため機能（例えば、認識処理）は、あらかじめ携帯電話２０に具備され、利用者にはその存在が分かっているものとする。
【００４８】
次に、映像同期情報提供装置１０に具備される映像同期情報識別子送信部１０２は、携帯電話２０から「映像同期情報識別子要求情報」（表１）を受け取り、その中に「携帯電話番号」や「利用者識別子」が含まれていないことを確認した場合、携帯電話網から着信してきた携帯電話番号を取得する。
【００４９】
次に、映像同期情報提供装置１０に具備される映像同期情報識別子送信部１０２は、映像同期情報識別子送信情報ＤＢ１０１に蓄積されている「放送開始日時」（表２）になった時、携帯電話網から取得した携帯電話番号に対して、「映像同期情報識別子要求情報」（表１）の中に含まれる「都道府県識別子」によって識別される都道府県において現時刻で提供される全チャンネルの「送信情報」（表３）を携帯電話２０に送る。
【００５０】
次に、携帯電話２０に具備された映像同期情報取得部２０２は、映像同期情報識別子送信部１０２から「送信情報」（表３）を受け取り、利用者が利用できる放送局の一覧を表示する。利用者がその中から現在視聴している放送局を選択すると、映像同期情報取得部２０２は、選択した放送局に関する「送信情報」（表３）の中に記載されている「映像同期情報識別子」を抜き出し、必要ならば「映像同期情報識別子」を加工したうえで、映像同期情報提供装置１０に具備された映像同期情報提供部１０３に送信する。なお選択された放送局は、利用者が変更するか、又は同期を中止しない限り、映像同期情報取得部２０２は記憶し続ける。
【００５１】
次に、映像同期情報提供装置１０に具備された映像同期情報提供部１０３は、携帯電話網を経由して取得した「映像同期情報識別子（必要に応じて加工されている場合も含む）」に応じて、携帯電話２０に具備される映像同期情報表示部２０３に、映像と同期を取って表示したい情報を提供する。
【００５２】
次に、携帯電話２０に具備される映像同期情報表示部２０３は、携帯電話網を経由して取得した情報を表示する。また、このとき、映像同期情報表示部２０３は、映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、利用者に適切なメッセージを表示するとともに、映像の同期を中止する機能も持つ。
【００５３】
従って、実施例１の映像同期情報提供システムは、包括的には、映像表示装置３０に配信される放送映像と同期して配信される映像同期情報を、携帯電話網を介して映像同期情報提供装置１０から個人単位で映像表示装置３０の映像と同時に視聴可能な携帯電話２０に提供するシステムとして構成される。
【００５４】
映像表示装置３０は、表示する映像に予め関連付けた映像同期情報識別子及び利用者識別子を含む「視聴映像情報」を携帯電話２０に通知する映像表示装置状態提供部３０１を備えており、携帯電話２０は、映像同期情報提供装置１０に対して、当該映像に関する都道府県識別子、放送局識別子、及び映像識別子と、利用者個人を識別するための利用者識別子を含む映像同期情報識別子要求情報を送信して、映像同期情報識別子の送信開始を指示する映像同期情報識別子要求部２０１と、映像同期情報提供装置１０から、当該映像に関する「放送開始日時」及び「送出タイミング」にしたがって送信された所定の送信情報を受信して、当該利用者によって指定される当該映像に関する放送局識別子及び映像識別子を「要求情報」として映像同期情報提供装置１０に送信する映像同期情報取得部２０２と、映像同期情報提供装置１０から、要求情報に係る映像に関する映像同期情報を、「放送開始日時」及び「送出タイミング」に同期して受信して表示する映像同期情報表示部２０３と、映像表示装置３０から、当該映像に予め関連付けられた映像同期情報識別子を含む「視聴映像情報」を取得し、該「視聴映像情報」から得られる映像同期情報識別子と、映像同期情報提供装置１０から取得した送信情報から抽出した映像同期情報識別子とを比較して、映像表示装置３０における映像の表示と映像同期情報とが同期しているか否かを判別し、同期していない場合には当該携帯電話２０に対してメッセージを表示するか、又は映像との情報同期を中止させる手段とを備える。
【００５５】
映像同期情報提供装置１０は、携帯電話２０から、前記映像同期情報識別子要求情報を受け取り、前記利用者識別子に対応する携帯電話２０に対して、都道府県識別子、放送局識別子、及び映像識別子に対応する当該映像に関する「放送開始日時」及び「送出タイミング」と対応する映像同期情報の映像同期情報識別子とを通知するための所定の送信情報を返信する映像同期情報識別子送信部と、携帯電話２０から、前記要求情報を受信して、前記要求情報に係る映像に関する映像同期情報を、「放送開始日時」及び「送出タイミング」に同期して送信する映像同期情報提供部１０３とを備える。
【００５６】
以上のように、実際に視聴しているチャンネルを映像同期情報提供装置１０に知らせることなく、かつ事前に映像同期情報提供装置１０に利用者登録をしていない場合でも、実施例１によれば、従来不可能であった、家庭内の個人を識別した上で、映像と同期を取って表示したい情報を提供することができ、例えば、個人単位の電子投票システムが可能になり、例えばテレビ映像を使ったアンケート調査で、回答した個人の属性（性別、年齢など）を使用した詳しい分析をすることが可能になる。またクイズ映像などでも、世帯としての参加ではなく、個人としての参加が可能になる。
【００５７】
〔実施例２〕
次に、上記の実施例１を応用して、利用者が現在視聴している映像に関する「送信情報」（表３）のみを、映像同期情報提供装置１０が送る例を実施例２として説明する。したがって、同様な構成要素には同一の参照番号を付して説明する。
【００５８】
図２は、本発明による実施例２の映像同期情報提供システムを示す図である。実施例２では映像表示装置３０は、映像コンテンツをリアルタイムに表示する態様である。映像表示装置３０は、放送網を通じてテレビ映像を受信し表示するのが典型的な例である。また実施例２では、実際に視聴しているチャンネルを映像同期情報提供装置１０に知らせ、かつ事前に映像同期情報提供装置１０に利用者登録をしている場合の実施例である点で、実施例１とは相違する。ただし映像表示装置３０と携帯電話２０の画面を、利用者が同時に見ることができる位置にいることが前提となっている。
【００５９】
このため、実施例２では、映像同期情報提供装置１０は、受け取った映像同期情報識別子要求情報に利用者識別子を含んでいる場合には、該受信した利用者識別子が当該映像同期情報提供システムにおけるサービスの利用者のものであるか否かを確認するために、利用者識別子について予め登録した利用者情報ＤＢ１０４を保持しており、本実施例の映像同期情報提供システムにおけるサービスの利用者の情報を蓄積しているものとする。従って、利用者は、この利用者情報ＤＢ１０４に予め登録しておく必要がある。例えば、必要な情報を「利用者情報」（表６）として利用者情報ＤＢ１０４にて管理する点で実施例１とは相違する。
【００６０】
【表６】
0005557605.tif 000007
【００６１】
まず、利用者は、実施例２においては携帯電話２０を操作して、映像同期情報識別子要求部２０１によって、「映像同期情報識別子要求情報」（表１）を映像同期情報提供装置１０に送信する。実施例２では「映像同期情報識別子要求情報」（表１）の項目をすべて送信している。なお「都道府県識別子」、「放送局識別子」、「映像識別子」の選択については利用者が手動で選択して実施する。
【００６２】
次に、映像同期情報提供装置１０に具備される映像同期情報識別子送信部１０２は、携帯電話２０から「映像同期情報識別子要求情報」（表１）を受け取り、その中に「利用者識別子」が含まれていることを確認した場合、利用者情報ＤＢ１０４から「利用者識別子」及び「利用者パスワード」が一致する利用者がいることを確認し、一致する場合には、利用者情報ＤＢ１０４に含まれる「携帯電話番号」を取得し、そうでなければ、必要に応じて利用者にその旨通知し、処理を終了する。
【００６３】
次に、映像同期情報提供装置１０に具備される映像同期情報識別子送信部１０２は、映像同期情報識別子要求部２０１から送信された「映像同期情報識別子要求情報」（表１）の中に含まれる「放送局識別子」及び「映像識別子」を使って、映像同期情報識別子送信情報ＤＢ１０１の中に合致する「映像同期情報識別子」があることを確認し、合致する「映像同期情報識別子」があった場合には、映像同期情報識別子送信情報ＤＢ１０１に蓄積されている「放送開始日時」（表２）になった時、携帯電話網から取得した携帯電話番号に対して、「映像同期情報識別子」が合致する「送信情報」（表３）の送信を開始し、そうでなければ、必要に応じて利用者にその旨通知し、処理を終了する。
【００６４】
次に、携帯電話２０に具備された映像同期情報取得部２０２は、映像同期情報識別子送信部１０２から「送信情報」（表３）を受け取り、この情報の中に含まれる「映像同期情報識別子」を抜き出し、必要ならば「映像同期情報識別子」を加工したうえで、映像同期情報提供装置１０に具備された映像同期情報提供部１０３に送信する。なお選択された放送局は、利用者が変更するか、又は同期を中止しない限り、映像同期情報取得部２０２は記憶し続ける。
【００６５】
次に、映像同期情報提供装置１０に具備された映像同期情報提供部１０３は、携帯電話網を経由して取得した「映像同期情報識別子（必要に応じて加工されている場合も含む）」に応じて、携帯電話２０に具備される映像同期情報表示部２０３に、映像と同期を取って表示したい情報を提供する。
【００６６】
次に、携帯電話２０に具備される映像同期情報表示部２０３は、携帯電話網を経由して取得した情報を表示する。また、このとき、映像同期情報表示部２０３は、映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、利用者に適切なメッセージを表示するとともに、映像の同期を中止する機能も持つ。
【００６７】
以上のように、実際に視聴しているチャンネルを映像同期情報提供装置１０に知らせ、かつ事前に映像同期情報提供装置１０に利用者登録をしている場合に、実施例２によれば、従来不可能であった、家庭内の個人を識別した上で、映像と同期を取って表示したい情報を提供することができ、例えば、個人単位の電子投票システムが可能になり、例えばテレビ映像を使ったアンケート調査で、回答した個人の属性（性別、年齢など）を使用した詳しい分析をすることが可能になる。またクイズ映像などでも、世帯としての参加ではなく、個人としての参加が可能になる。
【００６８】
〔実施例３〕
次に、本発明の基本となる実施例１を応用して、映像同期情報提供装置１０側に現在視聴している映像を知られることなく、かつ利用者の携帯電話に自動的に映像と同期された情報を表示する例を実施例３として説明する。したがって、同様な構成要素には同一の参照番号を付して説明する。
【００６９】
図３は、本発明による実施例３の映像同期情報提供システムを示す図である。実施例３では映像表示装置３０は、映像コンテンツをリアルタイムに表示する態様である。映像表示装置３０は、放送網を通じてテレビ映像を受信し表示するのが典型的な例である。また実施例３では、事前に映像同期情報提供装置１０に利用者登録をしていない場合の実施例である点で、実施例１とは同様である。また、映像表示装置３０と携帯電話２０の画面を、利用者が同時に見ることができる位置にいることが前提となっている。
【００７０】
実施例１では、「都道府県識別子」の選択については利用者が手動で選択して実施する例を説明したが、実施例３では、「都道府県識別子」については、映像同期情報識別子要求部２０１が自動的に携帯電話２０の基地局取得機能で取得したデータを送信する機能を有する点で相違しており、さらに、映像同期情報取得部２０２が、映像同期情報識別子送信部１０２から「送信情報」（表３）を受け取り、さらに、実施例３では、携帯電話２０に具備される映像表示装置状態取得部２０２を利用し、利用者が現在視聴している「放送局識別子」と「映像識別子」を映像表示装置３０から取得するように機能する点で相違する。
【００７１】
まず、利用者は、実施例３においては携帯電話２０を操作して、映像同期情報識別子要求部２０１によって、「映像同期情報識別子要求情報」（表１）を映像同期情報提供装置１０に送信する。実施例３では、映像同期情報提供装置１０が携帯電話番号を携帯電話網から直接取得するので、「映像同期情報識別子要求情報」（表１）の項目の中で実際に送っているのは「都道府県識別子」のみである。尚、「都道府県識別子」の選択については利用者が手動で選択して実施する。「都道府県識別子」については、映像同期情報識別子要求部２０１が自動的に携帯電話の基地局取得機能で取得したデータを送信している。
【００７２】
次に、映像同期情報提供装置１０に具備される映像同期情報識別子送信部１０２は、携帯電話２０から「映像同期情報識別子要求情報」（表１）を受け取り、その中に「携帯電話番号」や「利用者識別子」が含まれていないことを確認した場合、携帯電話網から着信してきた携帯電話番号を取得する。
【００７３】
次に、映像同期情報提供装置１０に具備される映像同期情報識別子送信部１０２は、映像同期情報識別子送信情報ＤＢ１０１に蓄積されている「放送開始日時」（表２）になった時、携帯電話網から取得した携帯電話番号に対して、「映像同期情報識別子要求情報」（表１）の中に含まれる「都道府県識別子」によって識別される都道府県において現時刻で提供される全チャンネルの「送信情報」（表３）を携帯電話２０に送る。
【００７４】
次に、携帯電話２０に具備された映像同期情報取得部２０２は、映像同期情報識別子送信部１０２から「送信情報」（表３）を受け取り、さらに、実施例３では、携帯電話２０に具備される映像表示装置状態取得部２０４を利用し、利用者が現在視聴している「放送局識別子」と「映像識別子」を映像表示装置３０１から取得する。映像同期情報取得部２０２は、この動作によって取得した「放送局識別子」と「映像識別子」と合致する「送信情報」（表３）を抽出し、この中に記載されている「映像同期情報識別子」を抜き出し、必要ならば「映像同期情報識別子」を加工したうえで、映像同期情報提供装置１０に具備された映像同期情報提供部１０３に送信する。尚、取得した「放送局識別子」と「映像識別子」は、同期を中止しない限り、映像同期情報取得部２０２は記憶し続ける。
【００７５】
次に、映像同期情報提供装置１０に具備された映像同期情報提供部１０３は、携帯電話網を経由して取得した「映像同期情報識別子（必要に応じて加工されている場合も含む）」に応じて、携帯電話２０に具備される映像同期情報表示部２０３に、映像と同期を取って表示したい情報を提供する。
【００７６】
次に、携帯電話２０に具備される映像同期情報表示部２０３は、携帯電話網を経由して取得した情報を表示する。また、このとき、映像同期情報表示部２０３は、映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、利用者に適切なメッセージを表示し、現在利用者が視聴している「放送局識別子」と「映像識別子」を映像表示装置３０から再取得し、適切な「送信情報」（表３）に含まれる「映像同期情報識別子」を抽出する。これによって、映像表示装置３０が表示する放送局、映像が変わっても、適応的に携帯電話２０に表示する情報も自動的に変えることができる。
【００７７】
即ち、携帯電話２０は、映像表示装置３０から、当該映像に予め関連付けられた映像同期情報識別子を含む「視聴映像情報」を取得し、該「視聴映像情報」から得られる映像同期情報識別子と、映像同期情報提供装置１０から取得した送信情報から抽出した映像同期情報識別子とを比較して、映像表示装置３０における映像の表示と映像同期情報とが同期しているか否かを判別し、同期していない場合には映像表示装置３０から「視聴映像情報」に含まれている「放送局識別子」及び「映像識別子」を再取得し、該「放送局識別子」及び「映像識別子」について「送信情報」に含まれる「映像同期情報識別子」を抽出し、該「映像同期情報識別子」に対応する「放送局識別子」及び「映像識別子」を含む「要求情報」を映像同期情報提供装置１０に送信して、該当する映像同期情報を再取得する。
【００７８】
以上のように、事前に映像同期情報提供装置１０に利用者登録をしていない場合で、現在利用者が視聴している「放送局識別子」と「映像識別子」を映像表示装置３０から再取得することで、実施例３によれば、従来不可能であった、家庭内の個人を識別した上で、映像と同期を取って表示したい情報を提供することができ、例えば、個人単位の電子投票システムが可能になり、例えばテレビ映像を使ったアンケート調査で、回答した個人の属性（性別、年齢など）を使用した詳しい分析をすることが可能になる。またクイズ映像などでも、世帯としての参加ではなく、個人としての参加が可能になる。
【００７９】
〔実施例４〕
以下、本発明による実施例４の映像同期情報提供システムの動作について具体的に説明する。したがって、同様な構成要素には同一の参照番号を付して説明する。
【００８０】
図４は、本発明による実施例４の映像同期情報提供システムを示す図である。実施例４では、上記の実施例１を応用して、利用者が現在視聴している映像に関する「送信情報」（表３）のみを、映像同期情報提供装置１０が送る例を説明し、さらに、実施例２と異なり、利用者は「放送局識別子」や「映像識別子」を手動で選択する動作も必要がない例である。
【００８１】
実施例４では映像表示装置３０は、映像コンテンツをリアルタイムに表示する態様である。映像表示装置３０は、放送網を通じてテレビ映像を受信し表示するのが典型的な例である。また実施例４では、事前に映像同期情報提供装置１０に利用者登録をしている場合の実施例である点で、実施例１とは相違する。ただし映像表示装置３０と携帯電話２０の画面を、利用者が同時に見ることができる位置にいることが前提となっている。
【００８２】
まず、利用者は、実施例２においては携帯電話２０を操作して、映像同期情報識別子要求部２０１によって、「映像同期情報識別子要求情報」（表１）を映像同期情報提供装置１０に送信する。実施例４では映像同期情報提供装置１０が携帯電話番号を携帯電話網から直接取得するので、「映像同期情報識別子要求情報」（表１）の項目の中で実際に送っているのは「都道府県識別子」、「放送局識別子」、及び「映像識別子」である。この中で「都道府県識別子」については、実施例３と同様に、映像同期情報識別子要求部２０１が自動的に携帯電話２０の基地局取得機能で取得したデータを送信する機能を有し、また「放送局識別子」と「映像識別子」に関しては、映像表示装置状態取得部２０４を使って映像表示装置３０１から取得している。
【００８３】
次に、映像同期情報提供装置１０に具備される映像同期情報識別子送信部１０２は、携帯電話２０から「映像同期情報識別子要求情報」（表１）を受け取り、その中に「携帯電話番号」や「利用者識別子」が含まれていないことを確認した場合、携帯電話網から着信してきた携帯電話番号を取得する。
【００８４】
次に、映像同期情報提供装置１０に具備される映像同期情報識別子送信部１０２は、映像同期情報識別子送信情報ＤＢ１０１に蓄積されている「放送開始日時」（表２）になった時、携帯電話網から取得した携帯電話番号に対して、「映像同期情報識別子要求情報」（表１）の中に含まれる「都道府県識別子」、「放送局識別子」及び「映像識別子」によって識別される「送信情報」（表３）のみを携帯電話２０に送る。
【００８５】
次に、携帯電話２０に具備された映像同期情報取得部２０２は、映像同期情報識別子送信部１０２から「送信情報」（表３）を受け取り、次に、「送信情報」（表３）の中に記載されている「映像同期情報識別子」を抜き出し、必要ならば「映像同期情報識別子」を加工したうえで、映像同期情報提供装置１０に具備された映像同期情報提供部１０３に送信する。
【００８６】
次に、映像同期情報提供装置１０に具備された映像同期情報提供部１０３は、携帯電話網を経由して取得した「映像同期情報識別子（必要に応じて加工されている場合も含む）」に応じて、携帯電話２０に具備される映像同期情報表示部２０３に、映像と同期を取って表示したい情報を提供する。
【００８７】
次に、携帯電話２０に具備される映像同期情報表示部２０３は、携帯電話網を経由して取得した情報を表示する。また、このとき、映像同期情報表示部２０３は、映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、利用者に適切なメッセージを表示し、現在利用者が視聴している「放送局識別子」と「映像識別子」を映像表示装置３０から再取得し、適切な「映像同期情報識別子」を映像同期情報提供装置１０に要求する。このことによって、映像表示装置３０が表示する放送局、映像が変わっても、携帯電話２０に表示する情報も自動的に変えることができる。
【００８８】
即ち、携帯電話２０は、映像表示装置３０から、当該映像に予め関連付けられた映像同期情報識別子を含む「視聴映像情報」を取得し、「視聴映像情報」に含まれている「放送局識別子」及び「映像識別子」から、「要求情報」を生成して映像同期情報提供装置１０に送信して、該当する映像同期情報を取得する。
【００８９】
以上のように、事前に映像同期情報提供装置１０に利用者登録をしていない場合で、現在利用者が視聴している「放送局識別子」と「映像識別子」を映像表示装置３０から再取得することで、実施例４によれば、従来不可能であった、家庭内の個人を識別した上で、映像と同期を取って表示したい情報を提供することができ、例えば、個人単位の電子投票システムが可能になり、例えばテレビ映像を使ったアンケート調査で、回答した個人の属性（性別、年齢など）を使用した詳しい分析をすることが可能になる。またクイズ映像などでも、世帯としての参加ではなく、個人としての参加が可能になる。
【００９０】
〔実施例５〕
次に、本発明の基本となる実施例２を応用して、携帯電話２０に映像と同期した投票やアンケートの情報を表示し、その投票やアンケートに利用者が回答することによって、投票やアンケートの情報を映像同期情報提供装置が取得する例を実施例５として説明する。したがって、同様な構成要素には同一の参照番号を付して説明する。
【００９１】
図５は、本発明による実施例５の映像同期情報提供システムを示す図である。映像表示装置３０に表示される映像と同期した投票やアンケートの画面を携帯電話２０の画面に表示するまでは、実施例２と同じである。ただし、携帯電話２０は、さらに、回答部２０５を具備し、映像同期情報提供装置１０は、さらに、回答取得部１０５と、回答結果蓄積ＤＢ１０６と、回答者確認部１０７とを備える点で相違する。
【００９２】
携帯電話２０に具備される回答部２０５は、携帯電話２０の画面に表示された投票やアンケートに利用者が回答した結果を、「回答情報」（表７）とともに、映像同期情報提供装置１０に具備される回答取得部１０５に送信する。回答部２０５は、必要に応じて映像表示装置状態取得部２０４によって、映像表示装置３０の状態を取得できないか、もしくは取得した「視聴映像情報」（表５）によって、映像表示装置３０に映し出されている映像と携帯電話２０に表示されている情報の同期が取れていないと判断されたときには、利用者に適切なメヅセージを表示するとともに、回答を中止することができる。
【００９３】
【表７】
0005557605.tif 000008
【００９４】
回答取得部１０５は、携帯電話網を経由して携帯電話２０に具備される回答部２０５から「回答情報」（表７）を取得する。回答取得部１０５は、必要に応じて「回答情報」（表５）を受け取った時間と、「映像同期情報識別子送信情報」（表２）の「放送開始日時」や「送出タイミング」を比較して、「回答情報」（表７）の受け取りを中止する場合もある。また、この後の処理として、受け取った回答結果と「回答情報」（表７）をそのまま回答結果蓄積ＤＢ１０６に保存することや、後述する回答者確認部１０７に引き渡すこともできる。
【００９５】
映像同期情報提供装置１０に具備される回答者確認部１０７は、「送信情報」（表３）と「回答情報」（表７）に含まれる「利用者識別子」を比較して、「送信情報」（表３）を送った利用者からの回答か否かを確認し、自分を呼び出した側に「ＯＫ」か「ＮＧ」を返す機能部である。この回答者確認部１０７は、前述した回答取得部１０５から呼び出される場合もあれば、別なプロセスとして回答結果蓄積ＤＢ１０６に蓄えられた回答結果を確認する機能部として利用することができる。
【００９６】
即ち、実施例５では、携帯電話２０に具備された回答部２０５が、携帯電話２０の画面に表示された投票やアンケートに利用者が回答した結果を、「回答情報」（表７）とともに、映像同期情報提供装置１０に具備される「回答情報」（表７）に送信する。
【００９７】
次に、映像同期情報提供装置１０に具備される回答取得部１０５は、携帯電話網を経由して「回答情報」（表７）を取得し、必要に応じて「回答情報」（表７）を受け取った時間と、「映像同期情報識別子送信情報」（表２）の「放送開始日時」や「送出タイミング」を比較して、「回答情報」（表７）の受け取りを中止することもできる。
【００９８】
実施例５では、回答取得部１０５は、受け取った「送信情報」（表３）を回答者確認部１０７に送り、「送信情報」（表３）と「回答情報」（表７）に含まれる「利用者識別子」を比較して、「送信情報」（表３）を送った利用者からの回答かどうかを確認し、この結果、利用者からの回答であれば、回答内容と「回答情報」（表７）を、回答結果蓄積ＤＢ１０６に保存する。
【００９９】
実施例５では、映像同期情報が、当該利用者の回答を要求する情報からなり、
携帯電話２０は、当該利用者の指示に応じて、表示された該情報に対する、利用者識別子を含む回答情報を生成し、映像同期情報提供装置１０に送信し、映像同期情報提供装置１０は、該回答情報を受信して、該回答情報を受け取った時間と、映像同期情報識別子送信情報の「放送開始日時」及び「送出タイミング」の情報を比較するとともに、送信情報に含まれる利用者識別子と、回答情報に含まれる利用者識別子とを比較して、正規の回答であるか否かを判別する。比較結果として、回答情報が真である場合に、正規の回答として採用できるように利用できる。
【０１００】
以上のように、実際に視聴しているチャンネルを映像同期情報提供装置１０に知らせ、かつ事前に映像同期情報提供装置１０に利用者登録をしている場合に、実施例５によれば、従来不可能であった、家庭内の個人を識別した上で、映像と同期を取って表示したい情報を提供することができ、例えば、個人単位の電子投票システムが可能になり、例えばテレビ映像を使ったアンケート調査で、回答した個人の属性（性別、年齢など）を使用した詳しい分析をすることが可能になる。またクイズ映像などでも、世帯としての参加ではなく、個人としての参加が可能になる。
【０１０１】
〔実施例６〕
次に、本発明の基本となる実施例４を応用して、家庭内にある映像蓄積装置４０に録画された映像コンテンツを、映像表示装置３０を介して視聴する場合にも、その映像の再生と同期を取った情報を利用者の携帯電話の画面に表示するための例を実施例６として説明する。したがって、同様な構成要素には同一の参照番号を付して説明する。
【０１０２】
本実施例では、携帯電話２０は、さらに、映像再生制御部２０６を備え、映像同期情報提供装置１０は、映像同期情報識別子送信制御部１０８を備え、さらに、「利用者情報」（表６）を利用者情報ＤＢ１０４にて管理するものとする。
【０１０３】
携帯電話２０に具備される映像再生制御部２０６は、映像蓄積装置４０に対して、蓄積された映像コンテンツの「再生」、「一時停止」、「早送り」、「巻き戻し」、「終了」の指示を出すことができる機能部である。また、映像再生制御部２０６は、映像蓄積装置４０に対して指示を出すと同時に、映像同期情報提供装置１０に具備される映像同期情報識別子送信制御部１０８に対しても、映像同期情報識別子送信の指示である「制御情報」（表８）を送出する。映像再生制御部２０６は、この「制御情報」（表８）を作成するために、必要となる情報を映像蓄積装置４０から取得する機能も併せ持つ。尚、携帯電話網を経由して映像同期情報提供装置１０に接続するために使用する識別子は、あらかじめ利用者が登録しておく必要がある。
【０１０４】
【表８】
0005557605.tif 000009
【０１０５】
映像同期情報提供装置１０に具備される映像同期情報識別子送信制御部１０８は、映像同期情報識別子送信部１０２に対して映像同期情報識別子送信の指示を送出する。
【０１０６】
映像同期情報識別子送信制御部１０８は、携帯電話網を通じて取得した「制御情報」（表８）に記載されている「制御識別子」が「開始」の場合、「制御情報」（表８）に記載されている「利用者情報」と、利用者情報ＤＢ１０４内の「利用者情報」（表６）を比較して正しい利用者かどうかを確認する。次に、映像同期情報識別子送信制御部１０８は、「制御情報」（表８）に記載されている「放送局識別子」と「放送識別子」に合致する「映像同期情報識別子」を「映像同期情報識別子送信情報」（表２）から探し出す。映像同期情報識別子送信制御部１０８は、最後に現在の時刻が「映像同期情報識別子送信情報」（表２）で定義されている「映像同期情報提供期間」の範囲内である場合に、映像同期情報識別子送信部１０２に「映像同期情報識別子」の送信開始の指示を出すとともに、「制御情報」（表８）も送る。これらのチェック事項に一つでも問題があった場合には、利用者にその旨通知し、処理を中断する。
【０１０７】
映像同期情報識別子送信制御部１０８は、携帯電話網を通じて取得した「制御情報」（表８）に記載されている「制御識別子」が「停止」の場合は、すぐに、映像同期情報識別子送信部１０２に「映像同期情報識別子」の送信停止の指示を出す。
【０１０８】
映像蓄積装置４０に具備される映像提供部４０１は、映像再生制御部２０６からの指示に従い、蓄積されている映像に付加された「放送局識別子」と「映像識別子」を映像再生制御部２０６に返したり、映像データを映像表示装置３０に送ったりすることができる。
【０１０９】
以下、実施例６の映像同期情報提供システムの動作について具体的に説明する。
【０１１０】
まず、利用者は携帯電話２０を操作して、映像再生制御部２０６は、映像蓄積装置４０に録画された映像コンテンツの再生開始を制御する映像提供部４０１に指示する。
【０１１１】
次に、映像再生制御部２０６は、映像蓄積装置４０に具備された映像提供部４０１から「放送局識別子」と「映像識別子」を取得する。
【０１１２】
次に、利用者が携帯電話２０を操作して、映像再生制御部２０６が映像再生開始の指示を出した場合は、その指示が映像提供部４０１に伝えるとともに、「映像同期情報識別子送信情報」（表２）と「制御情報」（表８）を映像同期情報提供装置１０に具備された映像同期情報識別子送信制御部１０８に、携帯電話網を使って送信する。なお、映像再生制御部２０６は、「映像同期情報識別子送信情報」（表２）の送信は最初だけで、二回目以降は「制御情報」（表８）だけを送信する。
【０１１３】
次に、映像同期情報提供装置１０に具備された映像同期情報識別子送信制御部１０８は、受け取った「制御情報」（表８）に含まれる「制御識別子」に従って、以下の動作をする。
【０１１４】
まず、映像同期情報識別子送信制御部１０８は、携帯電話網を通じで取得した「制御情報」（表８）に記載されている「制御識別子」が「開始」の場合、「制御情報」（表８）に記載されている「利用者情報」と、利用者情報ＤＢ１０４を比較して正しい利用者かどうかを確認する。
【０１１５】
次に、映像同期情報識別子送信制御部１０８は、「制御情報」（表８）に記載されている「放送局識別子」と「映像識別子」に合致する「映像同期情報識別子」を映像同期情報識別子送信情報ＤＢ１０１から探し出し、最後に現在の時刻が、映像同期情報識別子送信情報ＤＢ１０１で定義されている「映像同期情報提供期間」の範囲内である場合に、映像同期情報識別子送信部１０２に、「映像同期情報識別子」の送信開始の指示を出すとともに、「制御情報」（表８）も送る。これらのチェック事項に一つでも間題があった場合には、利用者にその旨通知し、処理を中断する。
【０１１６】
次に、映像同期情報識別子送信制御部１０８は、携帯電話網を通じで取得した「制御情報」（表８）に記載されている「制御識別子」が「停止」の場合は、すぐに、映像同期情報識別子送信部１０２に、「映像同期情報識別子」の送信停止の指示を出す。
【０１１７】
次に、映像同期情報識別子送信部１０２は、受け取った「制御情報」（表８）に含まれる「制御識別子」に従って、以下の動作をする。
【０１１８】
まず、映像同期情報識別子送信部１０２は、映像同期情報識別子送信制御部１０８から受け取った「制御情報」（表８）に記載されている「制御識別子」が「開始」の場合、利用者情報ＤＢ１０４から「利用者情報識別子」をもとに利用者の「携帯電話番号」を得る。
【０１１９】
次に、映像同期情報識別子送信部１０２は、映像同期情報識別子送信情報ＤＢ１０１と「制御情報」（表８）に含まれる「放送局識別子」と「映像識別子」から「送出タイミング」順に並んだ映像向期情報識別子送信情報の一覧を得る。この一覧の中から、「制御情報」（表８）に含まれる「映像再生時間」以降にある映像同期情報識別子送信情報を取得し、「送出タイミング」に従って「送信情報」（表３）を、利用者の携帯電話２０に具備される映像同期情報取得部２０２に送る。
【０１２０】
次に、映像同期情報識別子送信部１０２は、映像同期情報識別子送信制御部１０８から受け取った「制御情報」（表８）に記載されている「制御識別子」が「停止」の場合、「制御情報」（表８）に記載されている「利用者識別子」に対する「送信情報」（表３）の送信を直ちに停止し、次の「送信情報」（表３）が送られてくるのを待つ。
【０１２１】
次に、映像同期情報識別子送信部１０２は、映像同期情報識別子送信制御部１０８から受け取った「制御情報」（表８）に記載されている「制御識別子」が「終了」の場合、作成した「映像同期情報識別子送信情報」（表２）の一覧を破棄し、処理を終了する。
【０１２２】
上記の説明では同期する情報の提供のみについて説明したが、実施例５と同様に、家庭内にある映像蓄積装置４０に録画された映像コンテンツに対する投票やアンケートを取得することも可能である。
【０１２３】
即ち、実施例６では、映像同期情報提供システムが、映像表示装置３０に対して蓄積された映像コンテンツの映像を送出する映像蓄積装置４０をさらに備え、携帯電話２０は、映像蓄積装置４０に対して、蓄積された映像コンテンツの再生の「開始」、「停止」及び「終了」を含む制御情報の指示を送出する映像再生制御部２０６と、映像同期情報識別子送信情報と制御情報を映像同期情報提供装置１０に送信して、制御情報に応じたタイミングで映像同期情報を取得する。
【０１２４】
以上のように、実施例６によれば、録画した番組でも映像と同期した情報を送ることが可能となるので、従来不可能であった、家庭内の個人を識別した上で、録画映像と同期を取って表示したい情報を提供することができるようになる。
【産業上の利用可能性】
【０１２５】
本発明によれば、従来不可能であった家庭内の個人を識別した上で、リアルタイム又は録画映像と同期を取って表示したい情報を提供することができるので、例えば、個人単位の電子投票システムやテレビ映像を使ったアンケート調査、または、クイズ映像などの情報提供又は収集システムの用途に有用である。
【符号の説明】
【０１２６】
１０  映像同期情報提供装置
２０  携帯電話
３０  映像表示装置
４０  映像蓄積装置
１０１  映像同期情報識別子送信情データベース（ＤＢ）
１０２  映像同期情報識別子送信部
１０３  映像同期情報取得部
１０４  利用者情報ＤＢ
１０５  回答取得部
１０６  回答結果蓄積ＤＢ
１０７  回答者確認部
１０８  映像同期情報識別子送信制御部
２０１  映像同期情報識別子要求部
２０２  映像同期情報取得部
２０３  映像同期情報表示部
２０４  映像表示装置状態取得部
２０５  回答部
３０１  映像表示装置状態提供部
４０１  映像提供部
【図１】
0005557605.tif 000010
【図２】
0005557605.tif 000011
【図３】
0005557605.tif 000012
【図４】
0005557605.tif 000013
【図５】
0005557605.tif 000014
【図６】
0005557605.tif 000015